(57)【要約】      （修正有）【課題】自動的にクリーニングされ、きれいさを保持することができるペンダント装飾品を提供する。【解決手段】ペンダント１０の中には宝石チャンバ２０が設置される。宝石１１を回転連動させ、拭きブロック２２の作用の下で、宝石をクリーニングする。ペンダントの中には複数の異なる種類又は異なる色の宝石が設置され、指定の位置を回転させれば宝石を入れ替えることができる。【選択図】図２
2020182791.tif 000002
【特許請求の範囲】
【請求項１】
正面視で、ネックレスと前記ネックレスの下側に設置されたペンダントとを含み、前記ペンダントの中には宝石チャンバが設置され、前記宝石チャンバの中の前壁には前後に貫通している展示穴が設置され、前記宝石チャンバの後壁には少なくとも一組のガイド溝が設置され、前記ガイド溝の中の両端にはガイドスライドブロックが対称的にスライドできるように設置され、前記ガイドスライドブロックと前記ガイド溝の内壁との間には復帰バネが連結され、前記ガイドスライドブロックの前端面には回転軸が回転できるように設置され、前記回転軸の前側には台座が連結され、前記台座の前端面には宝石が固定的に設置され、各前記宝石は異なる種類又は異なる色であり、前記ペンダントの外円面には回転リングがスライドできるように設置され、前記回転リングと前記ペンダントの後端面との間には伝動チャンバが設置され、前記ガイド溝が前記伝動チャンバと前記宝石チャンバとを連通しており、前記伝動チャンバの中には前記ガイドスライドブロックの後端面と固定的に連結された固定ロッドが設置され、前記固定ロッドの後端にはサブ斜めブロックが固定的に設置され、前記伝動チャンバの内壁にはメイン斜めブロックが固定的に設置され、前記回転リングを回転させると、前記メイン斜めブロックが前記サブ斜めブロックと当接し、それによって前記ガイドスライドブロックが前記ガイド溝の中間へ移動し、前記宝石が前記展示穴によって展示され、前記ペンダントの中には環状チャンバが設置され、前記環状チャンバの内壁の中には外部空間に連通している貫通環状溝が設置され、前記環状チャンバの内壁の中には環状スライド溝が設置され、前記環状スライド溝の中にはスライドブロックがスライドできるように設置され、前記貫通環状溝の中には連結ロッドがスライドできるように設置され、前記連結ロッドの一端が前記スライドブロックと固定的に連結され、前記連結ロッドのもう一端が前記回転リングと固定的に連結され、前記スライドブロックの後端面にはクリーニングモーターが固定的に設置され、前記クリーニングモーターの後端には旋転軸が動力が伝達できるように連結され、前記旋転軸の後端にはゴムブロックが固定的に設置され、前記ゴムブロックが前記宝石と当接しており、前記宝石チャンバの後壁には前記宝石と当接している拭きブロックが固定的に設置され、前記拭きブロックの中には前記ゴムブロックが通ることができる空き溝が設置され、前記スライドブロックと前記メイン斜めブロックとの間の角度は九十度であり、前記メイン斜めブロックが次の前記サブ斜めブロックを押圧した時、前記ゴムブロックが前の前記メイン斜めブロックに押圧されたサブ斜めブロックと連結された宝石と当接しており、前記クリーニングモーターが起動して前記ゴムブロックによって前記宝石を回転連動させ、また前記拭きブロックの作用の下で前記宝石をクリーニングし、前記回転リングの後端面には固定板が回転できるように設置され、前記ネックレスが前記固定板と固定的に連結されたことを特徴とするペンダントの装飾品。
【請求項２】
前記回転軸の中にはスライドチャンバが設置され、前記スライドチャンバの中には位置制限ブロックがスライドできるように設置され、前記位置制限ブロックと前記スライドチャンバの後壁との間にはバネが連結され、前記位置制限ブロックの前端面には中間ロッドが固定的に設置され、前記中間ロッドが前記宝石チャンバの中に伸びていて前記台座と固定的に連結され、前記宝石チャンバの後壁には回転モーターが固定的に設置され、前記宝石チャンバの内壁の中には前後にスライドできるスライド板が設置され、前記回転モーターの前端にはねじロッドが動力が伝達できるように連結され、前記ねじロッドが前記スライド板１４とねじ山によって連結され、前記スライド板の一端が前記ガイド溝の中段の位置に伸びていることを特徴とする請求項１に記載のペンダントの装飾品。
【請求項３】
前記ガイド溝が二組設置され、二組の前記ガイド溝の間が交差されるように設置され、且つ互いに連通していることを特徴とする請求項１に記載のペンダントの装飾品。
【発明の詳細な説明】
【技術分野】
【０００１】
本発明は装飾品分野に関わり、具体的にはペンダントの装飾品である。
【背景技術】
【０００２】
人々の生活水準が高くなるにつれて、人々は宝石のペンダントをつけて自分を飾り、宝石のペンダントをつけることは、人々が場合や時間などの要素によるのであり、そのため、多くのペンダントを用意してつけ替えるのに備える必要があり、比較的に煩雑であり、そして宝石のペンダントを長時間つけると、宝石に汗などの不純物が付き、上記の問題を解決するため、本装置のペンダントの装飾品を提供する。
【先行技術文献】
【特許文献】
【０００３】
【特許文献１】中国特許出願公開第１０８５２３３３１号明細書
【発明の概要】
【発明が解決しようとする課題】
【０００４】
本発明はペンダントの装飾品を提供し、既存技術にある上記の欠点を解消することを目的とする。
【課題を解決するための手段】
【０００５】
ネックレスと前記ネックレスの下側に設置されたペンダントとを含み、前記ペンダントの中には宝石チャンバが設置され、前記宝石チャンバの中の前壁には前後に貫通している展示穴が設置され、前記宝石チャンバの後壁には少なくとも一組のガイド溝が設置され、前記ガイド溝の中の両端にはガイドスライドブロックが対称的にスライドできるように設置され、前記ガイドスライドブロックと前記ガイド溝の内壁との間には復帰バネが連結され、前記ガイドスライドブロックの前端面には回転軸が回転できるように設置され、前記回転軸の前側には台座が連結され、前記台座の前端面には宝石が固定的に設置され、各前記宝石は異なる種類又は異なる色であり、前記ペンダントの外円面には回転リングがスライドできるように設置され、前記回転リングと前記ペンダントの後端面との間には伝動チャンバが設置され、前記ガイド溝が前記伝動チャンバと前記宝石チャンバとを連通しており、前記伝動チャンバの中には前記ガイドスライドブロックの後端面と固定的に連結された固定ロッドが設置され、前記固定ロッドの後端にはサブ斜めブロックが固定的に設置され、前記伝動チャンバの内壁にはメイン斜めブロックが固定的に設置され、前記回転リングを回転させると、前記メイン斜めブロックが前記サブ斜めブロックと当接し、それによって前記ガイドスライドブロックが前記ガイド溝の中間へ移動し、前記宝石が前記展示穴によって展示され、前記ペンダントの中には環状チャンバが設置され、前記環状チャンバの内壁の中には外部空間に連通している貫通環状溝が設置され、前記環状チャンバの内壁の中には環状スライド溝が設置され、前記環状スライド溝の中にはスライドブロックがスライドできるように設置され、前記貫通環状溝の中には連結ロッドがスライドできるように設置され、前記連結ロッドの一端が前記スライドブロックと固定的に連結され、前記連結ロッドのもう一端が前記回転リングと固定的に連結され、前記スライドブロックの後端面にはクリーニングモーターが固定的に設置され、前記クリーニングモーターの後端には旋転軸が動力が伝達できるように連結され、前記旋転軸の後端にはゴムブロックが固定的に設置され、前記ゴムブロックが前記宝石と当接しており、前記宝石チャンバの後壁には前記宝石と当接している拭きブロックが固定的に設置され、前記拭きブロックの中には前記ゴムブロックが通ることができる空き溝が設置され、前記スライドブロックと前記メイン斜めブロックとの間の角度は九十度であり、前記メイン斜めブロックが次の前記サブ斜めブロックを押圧した時、前記ゴムブロックが前の前記メイン斜めブロックに押圧されたサブ斜めブロックと連結された宝石と当接しており、前記クリーニングモーターが起動して前記ゴムブロックによって前記宝石を回転連動させ、また前記拭きブロックの作用の下で前記宝石をクリーニングし、前記回転リングの後端面には固定板が回転できるように設置され、前記ネックレスが前記固定板と固定的に連結された。
【０００６】
好ましくは、前記回転軸の中にはスライドチャンバが設置され、前記スライドチャンバの中には位置制限ブロックがスライドできるように設置され、前記位置制限ブロックと前記スライドチャンバの後壁との間にはバネが連結され、前記位置制限ブロックの前端面には中間ロッドが固定的に設置され、前記中間ロッドが前記宝石チャンバの中に伸びていて前記台座と固定的に連結され、前記宝石チャンバの後壁には回転モーターが固定的に設置され、前記宝石チャンバの内壁の中には前後にスライドできるスライド板が設置され、前記回転モーターの前端にはねじロッドが動力が伝達できるように連結され、前記ねじロッドが前記スライド板とねじ山によって連結され、前記スライド板の一端が前記ガイド溝の中段の位置に伸びており、前記宝石が前記ガイド溝の中段に運動した時、前記回転モーターが起動して前記スライド板によって前記宝石を前方へ運動連動させる。
【０００７】
好ましくは、前記ガイド溝が二組設置され、二組の前記ガイド溝の間が交差されるように設置され、且つ互いに連通している。
【発明の効果】
【０００８】
本発明の有益な効果は：本発明のペンダントの中には複数の異なる種類又は異なる色の宝石が設置され、入れ替える時、指定の位置を回転させれば宝石を入れ替えることができ、伝統的な宝石を入れ替える時にペンダント全体を入れ替える問題を解決し、同時に、ペンダントの中の宝石は本発明の中で自動的にクリーニングされ、宝石のペンダントのきれいさを保持することができる。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明のペンダントの装飾品の全体構造略図
【図２】図２は図１の中のペンダント１０のところの断面図
【図３】図３は図１の中のＡ―Ａのところの構造略図
【図４】図４は図３の中のＢ―Ｂのところの構造略図
【発明を実施するための形態】
【００１１】
下記に、附図の簡単な説明と実施例を合わせて本発明についてさらなる説明を行い、本発明の方式は以下の実施例を含むが、以下の実施例に限定されたものではない。
【００１２】
図１〜４に示すように、本発明装置のペンダントの装飾品は、ネックレス１３と前記ネックレス１３の下側に設置されたペンダント１０とを含み、前記ペンダント１０の中には宝石チャンバ２０が設置され、前記宝石チャンバ２０の中の前壁には前後に貫通している展示穴１２が設置され、前記宝石チャンバ２０の後壁には少なくとも一組のガイド溝１９が設置され、前記ガイド溝１９の中の両端にはガイドスライドブロック４１が対称的にスライドできるように設置され、前記ガイドスライドブロック４１と前記ガイド溝１９の内壁との間には復帰バネ４２が連結され、前記ガイドスライドブロック４１の前端面には回転軸３１が回転できるように設置され、前記回転軸３１の前側には台座２９が連結され、前記台座２９の前端面には宝石１１が固定的に設置され、各前記宝石１１は異なる種類又は異なる色であり、前記ペンダント１０の外円面には回転リング３９がスライドできるように設置され、前記回転リング３９と前記ペンダント１０の後端面との間には伝動チャンバ３０が設置され、前記ガイド溝１９が前記伝動チャンバ３０と前記宝石チャンバ２０とを連通しており、前記伝動チャンバ３０の中には前記ガイドスライドブロック４１の後端面と固定的に連結された固定ロッド４０が設置され、前記固定ロッド４０の後端にはサブ斜めブロック３６が固定的に設置され、前記伝動チャンバ３０の内壁にはメイン斜めブロック３７が固定的に設置され、前記回転リング３９を回転させると、前記メイン斜めブロック３７が前記サブ斜めブロック３６と当接し、それによって前記ガイドスライドブロック４１が前記ガイド溝１９の中間へ移動し、前記宝石１１が前記展示穴１２によって展示され、前記ペンダント１０の中には環状チャンバ２３が設置され、前記環状チャンバ２３の内壁の中には外部空間に連通している貫通環状溝１７が設置され、前記環状チャンバ２３の内壁の中には環状スライド溝１８が設置され、前記環状スライド溝１８の中にはスライドブロック２５がスライドできるように設置され、前記貫通環状溝１７の中には連結ロッド２６がスライドできるように設置され、前記連結ロッド２６の一端が前記スライドブロック２５と固定的に連結され、前記連結ロッド２６のもう一端が前記回転リング３９と固定的に連結され、前記スライドブロック２５の後端面にはクリーニングモーター２４が固定的に設置され、前記クリーニングモーター２４の後端には旋転軸２７が動力が伝達できるように連結され、前記旋転軸２７の後端にはゴムブロック２８が固定的に設置され、前記ゴムブロック２８が前記宝石１１と当接しており、前記宝石チャンバ２０の後壁には前記宝石１１と当接している拭きブロック２２が固定的に設置され、前記拭きブロック２２の中には前記ゴムブロック２８が通ることができる空き溝２１が設置され、前記スライドブロック２５と前記メイン斜めブロック３７との間の角度は九十度であり、前記メイン斜めブロック３７が次の前記サブ斜めブロック３６を押圧した時、前記ゴムブロック２８が前の前記メイン斜めブロック３７に押圧されたサブ斜めブロック３６と連結された宝石１１と当接しており、前記クリーニングモーター２４が起動して前記ゴムブロック２８によって前記宝石１１を回転連動させ、また前記拭きブロック２２の作用の下で前記宝石１１をクリーニングし、前記回転リング３９の後端面には固定板３８が回転できるように設置され、前記ネックレス１３が前記固定板３８と固定的に連結された。
【００１３】
有益なように、前記回転軸３１の中にはスライドチャンバ３５が設置され、前記スライドチャンバ３５の中には位置制限ブロック３４がスライドできるように設置され、前記位置制限ブロック３４と前記スライドチャンバ３５の後壁との間にはバネ３３が連結され、前記位置制限ブロック３４の前端面には中間ロッド３２が固定的に設置され、前記中間ロッド３２が前記宝石チャンバ２０の中に伸びていて前記台座２９と固定的に連結され、前記宝石チャンバ２０の後壁には回転モーター１６が固定的に設置され、前記宝石チャンバ２０の内壁の中には前後にスライドできるスライド板１４が設置され、前記回転モーター１６の前端にはねじロッド１５が動力が伝達できるように連結され、前記ねじロッド１５が前記スライド板１４とねじ山によって連結され、前記スライド板１４の一端が前記ガイド溝１９の中段の位置に伸びており、前記宝石１１が前記ガイド溝１９の中段に運動した時、前記回転モーター１６が起動して前記スライド板１４によって前記宝石１１を前方へ運動連動させる。
【００１４】
有益なように、前記ガイド溝１９が二組設置され、二組の前記ガイド溝１９の間が交差されるように設置され、且つ互いに連通している。
【００１５】
上記のペンダントの装飾品の実現方法は、以下のステップを含む：
【００１６】
宝石１１を入れ替える時、ペンダント１０を握って動かないようにさせ、回転リング３９を回転させ、メイン斜めブロック３７が回転してサブ斜めブロック３６と当接し、それによってサブ斜めブロック３６と固定ロッド４０とによってガイドスライドブロック４１を連動させてガイド溝１９の中段へスライドさせ、ガイドスライドブロック４１が回転軸３１と、中間ロッド３２と、台座２９とによって宝石１１を連動させて展示穴１２のところに運動させ、回転モーター１６が起動してねじロッド１５を回転連動させ、ねじロッド１５が回転してスライド板１４を前方へ運動させ、スライド板１４が台座２９によって宝石１１を前方へ運動連動させ、それによってよりよい展示効果を得る。
【００１７】
回転リング３９が連結ロッド２６によってスライドブロック２５を連動させて前回展示された宝石１１のところに運動させ、ゴムブロック２８が宝石１１と当接し、クリーニングモーター２４が始動されて旋転軸２７と、ゴムブロック２８とによって宝石１１を回転連動させ、拭きブロック２２の作用の下で、前回展示された宝石１１をクリーニングする。
【００１８】
以上により、本発明のペンダントの中には複数の異なる種類又は異なる色の宝石が設置され、入れ替える時、指定の位置を回転させれば宝石を入れ替えることができ、伝統的な宝石を入れ替える時にペンダント全体を入れ替える問題を解決し、同時に、ペンダントの中の宝石は本発明の中で自動的にクリーニングされ、宝石のペンダントのきれいさを保持することができる。
【００１９】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。
【図１】
2020182791.tif 000003
【図２】
2020182791.tif 000004
【図３】
2020182791.tif 000005
【図４】
2020182791.tif 000006
【手続補正書】
【提出日】令和2年3月31日(2020.3.31)
【手続補正１】
【補正対象書類名】特許請求の範囲
【補正対象項目名】全文
【補正方法】変更
【補正の内容】
【特許請求の範囲】
【請求項１】
正面視で、ネックレスと前記ネックレスの下側に設置されたペンダントとを含み、前記ペンダントの中には宝石チャンバが設置され、前記宝石チャンバの中の前壁には前後に貫通している展示穴が設置され、前記宝石チャンバの後壁には少なくとも一組のガイド溝が設置され、前記ガイド溝の中の両端にはガイドスライドブロックが対称的にスライドできるように設置され、前記ガイドスライドブロックと前記ガイド溝の内壁との間には復帰バネが連結され、前記ガイドスライドブロックの前端面には回転軸が回転できるように設置され、前記回転軸の前側には台座が連結され、前記台座の前端面には宝石が固定的に設置され、各前記宝石は異なる種類又は異なる色であり、前記ペンダントの外円面には回転リングがスライドできるように設置され、前記回転リングと前記ペンダントの後端面との間には伝動チャンバが設置され、前記ガイド溝が前記伝動チャンバと前記宝石チャンバとを連通しており、前記伝動チャンバの中には前記ガイドスライドブロックの後端面と固定的に連結された固定ロッドが設置され、前記固定ロッドの後端にはサブ斜めブロックが固定的に設置され、前記伝動チャンバの内壁にはメイン斜めブロックが固定的に設置され、前記回転リングを回転させると、前記メイン斜めブロックが前記サブ斜めブロックと当接し、それによって前記ガイドスライドブロックが前記ガイド溝の中間へ移動し、前記宝石が前記展示穴によって展示され、前記ペンダントの中には環状チャンバが設置され、前記環状チャンバの内壁の中には外部空間に連通している貫通環状溝が設置され、前記環状チャンバの内壁の中には環状スライド溝が設置され、前記環状スライド溝の中にはスライドブロックがスライドできるように設置され、前記貫通環状溝の中には連結ロッドがスライドできるように設置され、前記連結ロッドの一端が前記スライドブロックと固定的に連結され、前記連結ロッドのもう一端が前記回転リングと固定的に連結され、前記スライドブロックの後端面にはクリーニングモーターが固定的に設置され、前記クリーニングモーターの後端には旋転軸が動力が伝達できるように連結され、前記旋転軸の後端にはゴムブロックが固定的に設置され、前記ゴムブロックが前記宝石と当接しており、前記宝石チャンバの後壁には前記宝石と当接している拭きブロックが固定的に設置され、前記拭きブロックの中には前記ゴムブロックが通ることができる空き溝が設置され、前記スライドブロックと前記メイン斜めブロックとの間の角度は九十度であり、前記メイン斜めブロックが次の前記サブ斜めブロックを押圧した時、前記ゴムブロックが前の前記メイン斜めブロックに押圧されたサブ斜めブロックと連結された宝石と当接しており、前記クリーニングモーターが起動して前記ゴムブロックによって前記宝石を回転連動させ、また前記拭きブロックの作用の下で前記宝石をクリーニングし、前記回転リングの後端面には固定板が回転できるように設置され、前記ネックレスが前記固定板と固定的に連結されたことを特徴とするペンダントの装飾品。
【請求項２】
前記回転軸の中にはスライドチャンバが設置され、前記スライドチャンバの中には位置制限ブロックがスライドできるように設置され、前記位置制限ブロックと前記スライドチャンバの後壁との間にはバネが連結され、前記位置制限ブロックの前端面には中間ロッドが固定的に設置され、前記中間ロッドが前記宝石チャンバの中に伸びていて前記台座と固定的に連結され、前記宝石チャンバの後壁には回転モーターが固定的に設置され、前記宝石チャンバの内壁の中には前後にスライドできるスライド板が設置され、前記回転モーターの前端にはねじロッドが動力が伝達できるように連結され、前記ねじロッドが前記スライド板とねじ山によって連結され、前記スライド板の一端が前記ガイド溝の中段の位置に伸びていることを特徴とする請求項１に記載のペンダントの装飾品。
【請求項３】
前記ガイド溝が二組設置され、二組の前記ガイド溝の間が交差されるように設置され、且つ互いに連通していることを特徴とする請求項１に記載のペンダントの装飾品。